(57)【要約】【課題】  外線側光ファイバと、前記他の光ファイバとが干渉するのを防ぐことができる光接続ユニットを提供する。【解決手段】  外線側光ファイバ６を、コネクタ接続可能に成端された成端用光ファイバ８を介して、他の光ファイバ４２と切替可能に接続する光接続ユニットであって、外線側光ファイバ６と成端用光ファイバ８との接続部を収納する接続部収納ユニット３と、成端用光ファイバ８が接続される光コネクタ３２が複数配列された光コネクタ配列部４と、外線側光ファイバ６を案内する外線側光ファイバガイド体５とを備え、接続部収納ユニット３が、一方の側部に設けられた成端用光ファイバ導入部２９と、他方の側部に設けられた外線側光ファイバ導入部３０とを備え、外線側光ファイバガイド体５は、光接続ユニットの一方の側部から他方の側部に向けて、外線側光ファイバ６を案内することができるようにされている。【選択図】  図１
2007010973.tif 000002
【特許請求の範囲】
【請求項１】
外線側光ファイバ（６）を、コネクタ接続可能に成端された成端用光ファイバ（８）を介して、他の光ファイバ（４２）と切替可能に接続する光接続ユニットであって、
前記外線側光ファイバと成端用光ファイバとの接続部（４０）を収納する接続部収納ユニット（３）と、前記成端用光ファイバが接続される光コネクタ（３２）が複数配列された光コネクタ配列部（４）と、前記外線側光ファイバを案内する外線側光ファイバガイド体（５）とを備え、
前記接続部収納ユニットが、一方の側部に設けられた成端用光ファイバ導入部（２９）と、他方の側部に設けられた外線側光ファイバ導入部（３０）とを備え、
前記外線側光ファイバガイド体は、前記光接続ユニットの一方の側部から他方の側部に向けて、外線側光ファイバを案内することができるようにされていることを特徴とする光接続ユニット。
【請求項２】
前記外線側光ファイバガイド体は、外線側光ファイバが挿通する管状に形成されていることを特徴とする請求項１に記載の光接続ユニット。
【請求項３】
前記外線側光ファイバガイド体は、コルゲート管からなることを特徴とする請求項２に記載の光接続ユニット。
【請求項４】
前記光コネクタ配列部は、前記他の光ファイバを前方から接続できるようにされ、
前記外線側光ファイバガイド体は、外線側光ファイバを、接続部収納ユニットの後方を経由して案内することができるようになっていることを特徴とする請求項１〜３のうちいずれか１項に記載の光接続ユニット。
【発明の詳細な説明】
【技術分野】
【０００１】
本発明は、光ファイバケーブルの光ファイバを、他の光ファイバに切替可能に接続する光接続ユニットに関する。
【背景技術】
【０００２】
光ファイバケーブルを光接続ユニット内で切替可能にコネクタ接続するには、一般に、光ファイバケーブルを光接続ユニット内に引き込んで固定し、光ファイバケーブルの先端部に露出された光ファイバ（外線側光ファイバ）を、成端用光ファイバに融着接続する。
成端用光ファイバの先端に組み立てられた光コネクタプラグは、光接続ユニット内に配列された光コネクタアダプタに接続される。これにより、外線側光ファイバは、成端用光ファイバを介していずれかの光コネクタアダプタに対応付けられる。
外線側光ファイバに対して他の光ファイバ（例えば伝送装置等の局内装置と接続された光ファイバコード）を接続するには、前記他の光ファイバの先端に設けられた光コネクタプラグを前記光コネクタアダプタに接続する（例えば、特許文献１を参照）。
光接続ユニットでは、加入者の増減や機器の故障などの場合に、光ファイバの接続切替が必要となるため、光ファイバの配線には明瞭な識別性が不可欠である。
【特許文献１】特許第３１７３９８０号公報
【発明の開示】
【発明が解決しようとする課題】
【０００３】
光接続ユニットでは、外線側光ファイバと前記他の光ファイバは、保守の都合上、異なる方向に配線される。一般には、外線側光ファイバと前記他の光ファイバが、それぞれ光接続ユニットの一側方向および他側方向に配線される。
このように、外線側光ファイバと前記他の光ファイバの配線方向が特定方向に限定される場合には、これらが干渉するのを回避し、これらを明確に識別することが必要となる。
本発明は、上記事情に鑑みてなされたものであって、外線側光ファイバと、前記他の光ファイバとが干渉するのを防ぐことができる光接続ユニットを提供することを目的とする。
【課題を解決するための手段】
【０００４】
本発明の請求項１に係る光接続ユニットは、外線側光ファイバを、コネクタ接続可能に成端された成端用光ファイバを介して、他の光ファイバと切替可能に接続する光接続ユニットであって、前記外線側光ファイバと成端用光ファイバとの接続部を収納する接続部収納ユニットと、前記成端用光ファイバが接続される光コネクタが複数配列された光コネクタ配列部と、前記外線側光ファイバを案内する外線側光ファイバガイド体とを備え、前記接続部収納ユニットが、一方の側部に設けられた成端用光ファイバ導入部と、他方の側部に設けられた外線側光ファイバ導入部とを備え、前記外線側光ファイバガイド体は、前記光接続ユニットの一方の側部から他方の側部に向けて、外線側光ファイバを案内することができるようにされていることを特徴とする。
本発明の請求項２に係る光接続ユニットは、請求項１において、前記外線側光ファイバガイド体は、外線側光ファイバが挿通する管状に形成されていることを特徴とする。
本発明の請求項３に係る光接続ユニットは、請求項２において、前記外線側光ファイバガイド体は、コルゲート管からなることを特徴とする。
本発明の請求項４に係る光接続ユニットは、請求項１〜３のうちいずれか１項において、前記光コネクタ配列部は、前記他の光ファイバを前方から接続できるようにされ、前記外線側光ファイバガイド体は、外線側光ファイバを、接続部収納ユニットの後方を経由して案内することができるようになっていることを特徴とする。
【発明の効果】
【０００５】
本発明の光接続ユニットは、一方の側部から他方の側部に向けて外線側光ファイバを案内する外線側光ファイバガイド体を備えているので、一方の側部から導入された外線側光ファイバを、接続部収納ユニットの他方の側部に設けられた外線側光ファイバ導入部に導くことができる。
このように、外線側光ファイバガイド体によって、外線側光ファイバの配線位置を規制することができるため、外線側光ファイバと、他方の側部に配線された他の光ファイバとが干渉するのを防ぐことができる。
また、外線側光ファイバが他方の側部から光接続ユニットに導入される場合においては、外線側光ファイバは、他方の側部から接続部収納ユニットにそのまま導入される。このため、外線側光ファイバと、一方の側部に配線された他の光ファイバとが干渉するのを防ぐことができる。
【発明を実施するための最良の形態】
【０００６】
図１は、本発明の光接続ユニットの一例を示す正面図である。図２は、図１に示す光接続ユニットの内部構造を示す平面図である。図３は、図１に示す光接続ユニットのＡ−Ａ線に沿う断面を示す平面図である。図４は、図１に示す光接続ユニットにおいて、接続部収納トレイを引き出した状態を示す平面図である。図５は、図１に示す光接続ユニットのＢ−Ｂ線に沿う断面を示す側面図である。図６は、図１に示す光接続ユニットのＡ−Ａ線に沿う断面を示す平面図である。
【０００７】
図１〜図５に示すように、光接続ユニット１は、ラック２と、接続部収納ユニット３と、光コネクタ配列部４と、外線側光ファイバガイド管５（外線側光ファイバガイド体）とを備えている。以下、図２における下方を前方と呼び、上方を後方と呼ぶことがある。
ラック２は、底板１１と、その両側縁１１ａ、１１ｂにそれぞれ設けられた側板１２ａ、１２ｂと、底板１１の後縁１１ｃに設けられた背板１３と、側板１２ａ、１２ｂの間に架設された棚板１４と、その上に形成された支持板１５を備えている。
【０００８】
図１に示すように、棚板１４は、底板１１とほぼ平行とされ、底板１１の上方に、底板１１から間隔をおいて設けられている。
図３に示すように、棚板１４には、外線側光ファイバガイド管５が通過可能な切欠き１４ａが形成されている。切欠き１４ａは、棚板１４の一方の側部（図３における右上部）に形成されている。
図１に示すように、棚板１４と底板１１との間の空間は、外線光ファイバケーブル側の光ファイバである外線側光ファイバ６および局内側光ファイバ４２（他の光ファイバ）が配線される光ファイバ配線領域１６である。
【０００９】
図１に示すように、支持板１５は、棚板１４とほぼ平行とされ、棚板１４の上方に、棚板１４から間隔をおいて設けられている。
図２に示すように、支持板１５には、成端用光ファイバ８が通過可能な切欠き１５ａが形成されている。切欠き１５ａは、支持板１５の一方の側部（図２における右上部）に形成されている。
図１に示すように、支持板１５と棚板１４との間の空間は、接続部収納ユニット３を収納可能なユニット収納領域１７である。
ラック２は、ステンレス板や鋼板などの板材からなるものが好適である。
【００１０】
図４に示すように、接続部収納ユニット３は、枠体２１と、枠体２１内に出し入れ可能に収納される接続部収納トレイ２２とを備えている。
接続部収納トレイ２２は、トレイ本体２３と、光ファイバガイド２４〜２７と、融着接続部保持部２８と、成端用光ファイバ導入部２９と、外線側光ファイバ導入部３０とを備えている。
【００１１】
融着接続部保持部２８は、外線側光ファイバ６の先端から引き出された光ファイバ７と、成端用光ファイバ８から引き出された光ファイバ９との融着接続部４０を収納するようになっている。
成端用光ファイバ導入部２９は、接続部収納トレイ２２の一方の側部（図４における右部）に形成されている。
外線側光ファイバ導入部３０は、接続部収納トレイ２２の他方の側部（図４における左部）に形成されている。
図３および図４に示すように、接続部収納トレイ２２は、枠体２１から前方に引き出すことができるようになっている。
接続部収納ユニット３は、複数の接続部収納トレイ２２を枠体２１内に上下に積層した構成が好ましい。
【００１２】
図１に示すように、光コネクタ配列部４は、ラック２の前部に形成された枠状のフレーム３１に複数の光コネクタアダプタ３２が取り付けられたもので、支持板１５上に設けられている。
図２および図５に示すように、光コネクタアダプタ３２は、成端用光ファイバ８から引き出された光ファイバ４１の先端に組み立てられた光コネクタプラグ３３を、後方から接続することができるようになっている。
【００１３】
光コネクタアダプタ３２としては、光コネクタプラグ３３と、局内側光ファイバ４２の先端の光コネクタプラグ４３とをコネクタ接続することが可能なものが採用される。
光コネクタアダプタ３２は、光コネクタプラグ４３を前方から接続できるようになっている。
光コネクタの具体例としては、例えば、ＪＩＳ  Ｃ  ５９７３に規定されるＳＣ形光コネクタ（Single fiber Coupling optical fiber connector）や、ＪＩＳ  Ｃ  ５９８３に規定されるＭＵ形光コネクタ（Miniature-Unit coupling optical fiber connector）等、各種の光コネクタが挙げられる。
【００１４】
光コネクタプラグ３３を光コネクタアダプタ３２に接続することによって、外線側光ファイバ６を、局内側光ファイバ４２に対してコネクタ接続可能に成端できる。
局内側光ファイバ４２は、伝送装置等の局内装置と接続された装置側光ファイバであり、例えば光ファイバコード、光ファイバ心線が使用できる。
【００１５】
図１、図３〜図５に示すように、底板１１上には、外線側光ファイバガイド管５が設けられている。
外線側光ファイバガイド管５は、外線側光ファイバ６を案内するためのもので、合成樹脂や金属などからなる管状体が使用できる。外線側光ファイバガイド管５の使用によって、外線側光ファイバ６の配線位置を正確に定めることができる。
外線側光ファイバガイド管５は、可撓性を有し、その方向を任意に設定できるものが好ましい。特に、軸方向に沿って所定の間隔またはピッチで配列された環状またはらせん状の凹凸を有するコルゲート管は、可撓性に優れ、しかも十分な強度を有するため好ましい。
【００１６】
外線側光ファイバガイド管５の一端部５ａは、ラック２の一方の側部（図１および図３における右側部）に配置される。図示例では、外線側光ファイバガイド管５の一端部５ａは、底板１１の一方の側縁１１ａ近傍に配置されている。
外線側光ファイバガイド管５は、一端部５ａから、他方の側板１２ｂ（図１および図３における左方）に向かって湾曲しつつ背板１３に向かって延び、切欠き１４ａを通過して棚板１４上に至り、接続部収納ユニット３の後方に達している。外線側光ファイバガイド管５の他端部５ｂは、背板１３の幅方向（図１および図３における左右方向）の中央付近に位置している。
【００１７】
光接続ユニット１では、以下に示す２とおりの配線が可能である。
（１）外線側光ファイバ６が、一方の側部（図３における右側部）から光接続ユニット１に導入される場合
図３に示すように、外線側光ファイバ６は、光接続ユニット１の一方の側部（図３における右側部）に配置された一端部５ａから外線側光ファイバガイド管５に導入される。外線側光ファイバ６は、一端部５ａから外線側光ファイバガイド管５内に送り込むようにして配線することができる。
外線側光ファイバ６は、接続部収納ユニット３の後方に位置する他端部５ｂを経て、他方の側部（図３における左側部）に向かって延び、接続部収納ユニット３の側方（図３における左方）に至り、接続部収納トレイ２２の左部分に設けられた外線側光ファイバ導入部３０から接続部収納トレイ２２に導入される。
【００１８】
図４に示すように、外線側光ファイバ６の先端から単心分離された光ファイバ７は、成端用光ファイバ８の一端側から単心分離された光ファイバ９と融着接続される。光ファイバ７と光ファイバ９の融着接続部４０は、融着接続部保持部２８に保持される。
なお、光ファイバ７と光ファイバ９は、融着以外の方法、例えばメカニカルスプライス接続によって接続してもよい。
光ファイバ７の余長は、光ファイバガイド２４、２５に沿って処理することができる。光ファイバ９の余長は、光ファイバガイド２６、２７に沿って処理することができる。
【００１９】
図２および図５に示すように、成端用光ファイバ８の他端側からから単心分離された光ファイバ４１は、光コネクタプラグ３３を介して光コネクタ配列部４の光コネクタアダプタ３２に接続される。
なお、外線側光ファイバ６と成端用光ファイバ８を、併せて光コネクタ付光ファイバと呼ぶことができる。
【００２０】
図１および図２に示すように、光コネクタアダプタ３２には、局内側光ファイバ４２が切替可能に接続される。局内側光ファイバ４２は、底板１１上に配線され、光接続ユニット１の他方の側部（図２における左側部）から外部に導出される。図示例では、局内側光ファイバ４２は、底板１１と棚板１４の間の空間である光ファイバ配線領域１６を経て外部に導出されている。
【００２１】
（２）外線側光ファイバ６が、他方の側部（図６における左側部）から光接続ユニット１に導入される場合
図６に示すように、外線側光ファイバ６は、光接続ユニット１の他方の側部（図６における左側部）から底板１１上に導入され、光ファイバ配線領域１６を経て棚板１４上に至り、外線側光ファイバ導入部３０から接続部収納トレイ２２に導入される。
なお、符号１８は、外線側光ファイバ６の余長部分である。
局内側光ファイバ４２は、底板１１上に配線され、光接続ユニット１の一方の側部（図６における右側部）から外部に導出される。図示例では、局内側光ファイバ４２は、底板１１と棚板１４の間の空間である光ファイバ配線領域１６を経て外部に導出されている。
【００２２】
このように、光接続ユニット１では、２とおりの配線が可能であり、いずれの場合においても、外線側光ファイバ６と局内側光ファイバ４２とが左右に区分けされる。
【００２３】
光接続ユニット１では、一方の側部（図３における右側部）から他方の側部（図３における左側部）に向けて外線側光ファイバ６を案内する外線側光ファイバガイド管５を備えているので、一方の側部から導入された外線側光ファイバ６を、接続部収納ユニット３の他方の側部に設けられた外線側光ファイバ導入部３０に導くことができる。
このように、外線側光ファイバガイド管５によって、外線側光ファイバ６の配線位置を規制することができるため、外線側光ファイバ６と、他方の側部に配線された局内側光ファイバ４２とが干渉するのを防ぐことができる。
また、外線側光ファイバ６が他方の側部（図６における左側部）から光接続ユニット１に導入される場合においては、外線側光ファイバ６は、他方の側部から接続部収納ユニット３にそのまま導入される。
このため、外線側光ファイバ６と、一方の側部（図６における右側部）に配線された局内側光ファイバ４２とが干渉するのを防ぐことができる。
【００２４】
また、光コネクタ配列部４は、局内側光ファイバ４２を前方から接続できるようにされ、外線側光ファイバガイド管５が、外線側光ファイバ６を、接続部収納ユニット３の後方を経由して案内することができるようになっているので、外線側光ファイバ６と局内側光ファイバ４２の配線位置を離間させ、これらを干渉しにくくすることができる。
【００２５】
なお、図示例では、外線側光ファイバガイド管５を備えた光接続ユニットを例示したが、本発明で使用できる外線側光ファイバガイド体はこれに限定されない。例えば、外線側光ファイバが挿通する複数の環状のガイド体を使用してもよいし、外線側光ファイバを挟み込む複数のガイド体であってもよい。
【図面の簡単な説明】
【００２６】
【図１】本発明の光接続ユニットの一例を示す正面図である。
【図２】図１に示す光接続ユニットの内部構造を示す平面図である。
【図３】図１に示す光接続ユニットのＡ−Ａ線に沿う断面を示す図である。
【図４】図１に示す光接続ユニットにおいて、接続部収納トレイを引き出した状態を示す平面図である。
【図５】図１に示す光接続ユニットのＢ−Ｂ線に沿う断面を示す側面図である。
【図６】図１に示す光接続ユニットのＡ−Ａ線に沿う断面を示す平面図である。
【符号の説明】
【００２７】
１…光接続ユニット、３…接続部収納ユニット、４…光コネクタ配列部、５…外線側光ファイバガイド管（外線側光ファイバガイド体）、６…外線側光ファイバ、８…成端用光ファイバ、２９…成端用光ファイバ導入部、３０…外線側光ファイバ導入部、４０…融着接続部、４２…局内側光ファイバ（他の光ファイバ）。
【図１】
2007010973.tif 000003
【図２】
2007010973.tif 000004
【図３】
2007010973.tif 000005
【図４】
2007010973.tif 000006
【図５】
2007010973.tif 000007
【図６】
2007010973.tif 000008